(57)【要約】【課題】  壁パネルの端部をしっかりと挟み込みこんで強度を向上させることができ、施工が容易でコストも低減することができる壁パネル端部構造を提供する。【解決手段】  三角形状に折り曲げられた壁パネル本体の端部に、三角形状の係止部を設けた樹脂スペーサを当接させ、折り曲げ角度が９０度未満の略Ｌ字金具の短辺を、上記樹脂スペーサの後方から固定し、上記略Ｌ字状金具の長辺を、上記壁パネルの三角形状を樹脂スペーサの係止部方向へ押圧するように取り付けた。【選択図】図１
2009114693.tif 000002
【特許請求の範囲】
【請求項１】
三角形状に折り曲げられた壁パネル本体の端部に、三角形状の係止部を設けた樹脂スペーサを当接させ、折り曲げ角度が９０度未満の略Ｌ字金具の短辺を、上記樹脂スペーサの後方から固定し、上記略Ｌ字状金具の長辺を、上記壁パネルの三角形状を樹脂スペーサの係止部方向へ押圧するように取り付けることを特徴とする壁パネル端部構造。
【発明の詳細な説明】
【技術分野】
【０００１】
この発明は、ユニットルームの壁パネルとドア枠との接合部位等における同壁パネルの端部構造に関する。
【背景技術】
【０００２】
従来、この種の壁パネル端部構造としては、特許文献１に示すものが公知である。
【０００３】
【特許文献１】特許第３９７９３４９号公報
【発明の開示】
【発明が解決しようとする課題】
【０００４】
この従来の壁パネル端部構造は、壁パネル本体の側端縁に後方へ折曲突出したパネル端片部を形成し、前方へ開口した断面略コ字状の補強型材を同パネル端片部に後方から装着固定してなる壁パネル端部構造であって、パネル端片部の内側に当接されるスペーサブロックを備え、このスペーサブロックの外側面に係止凹所を形成し、同パネル端片部の内側に係止凸片を突設し、係止凸片を係止凹所に係合させてパネル端片部の内側に同スペーサブロックを当接させ、このスペーサブロックの後端部分を同パネル端片部の後端縁よりも後方へ突出した状態として、このパネル端片部とスペーサブロックとを両側から挟持するように補強型材を同パネル端片部に後方から装着固定してなる壁パネル端部構造であり、パネル端片部の係止凸片をスペーサブロックの係止凹所に係合し、スペーサブロックの内外方向の寸法と内巾寸法が略等しく設定された断面略コ字状の補強型材によりパネル端片部とスペーサブロックとを両側から挟持するように補強型材をパネル端片部に後方から装着したものであるが、この従来の壁パネル端部構造に用いられる樹脂スペーサと断面略コ字状の補強型材は、嵌合するものであるため、寸法誤差が生じないように高い精度が要求され、その結果、コスト高となる、という問題を有していた。
【０００５】
この発明は、かかる現状に鑑み創案されたものであって、その目的とするところは、壁パネルの端部をしっかりと挟み込みこんで強度を向上させることができ、施工が容易でコストも低減することができる壁パネル端部構造を提供しようとするものである。
【課題を解決するための手段】
【０００６】
上記目的を達成するため、この発明は、三角形状に折り曲げられた壁パネル本体の端部に、三角形状の係止部を設けた樹脂スペーサを当接させ、折り曲げ角度が９０度未満の略Ｌ字金具の短辺を、上記樹脂スペーサの後方から固定し、上記略Ｌ字状金具の長辺を、上記壁パネルの三角形状を樹脂スペーサの係止部方向へ押圧するように取り付けることを特徴とするものである。
【発明の効果】
【０００７】
この発明にあっては、以上ように構成されているので、壁パネルの端部をしっかりと挟み込みこんで強度を向上させることができ、施工が容易でコストも低減することができる。
【発明を実施するための最良の形態】
【０００８】
以下、添付図面に示す一実施形態例に基づき、この発明を詳細に説明する。
【０００９】
図１は、この発明の一実施形態例にかかる壁パネル端部構造を示す斜視図を、図２は同壁パネル端部構造を分解して示す断面図を、図３は同端部構造に用いられる略Ｌ字状金具の平面図及び側面図を、図４は同端部構造に用いられる略Ｌ字状金具の正面図を、図５は同端部構造に用いられるドア横アングル受けの正面図及び平面図を、図６は同アングル受けの拡大平面図を、夫々示している。
【００１０】
この実施形態の壁パネル端部構造は、壁パネル１の側端縁に後方へ三角形状に折り曲げられ突出したパネル端部２を形成し、三角形状の係止部を設けた樹脂スペーサであるドア横アングル受け４Ａを当接させ、折り曲げ角度が９０度未満の略Ｌ字金具３の短辺３Ａを、上記ドア横アングル受け４Ａ（図６参照）の後方から固定し、上記略Ｌ字状金具３の長辺３Ｂを、上記壁パネル１の三角形状をドア横アングル受け４Ａの係止部方向へ押圧するように取り付けたものである。
【００１１】
この実施形態例に係る壁パネル端部構造では、パネル端部２の内側に当接されるドア横アングル受け４Ａの外側面４ｂに係止凹所５を形成し、パネル端部２の内側に係止凸片６を突設している。そして、係止凸片６を係止凹所５に係合させてパネル端部２の内側にドア横アングル受け４Ａを当接させ、このドア横アングル受け４Ａの後端部分４ａを同パネル端部２の後端縁２ａよりも後方へ突出した状態として、このパネル端部２とドア横アングル受け４Ａとを略Ｌ字状金具３の長辺３Ｂの弾性で押圧するようにパネル端部２に後方から装着固定している。
【００１２】
また、この実施形態例の壁パネル端部構造では、金属製の壁パネル１の側端縁に三角形状に折曲加工を施して、パネル端部２及び係止凸片６を同壁パネル本体１と一体に形成している。この場合、パネル端部２の後端縁部分を内側前方へ折り返して、内側へ略山型に折曲突出する係止凸片６を形成してもいる。さらに、略Ｌ字状金具３をその後方から挿通されてドア横アングル受け４Ａにねじ込まれる結合ネジ７で固定している。
【００１３】
以下、この実施形態の壁パネル端部構造を、より具体的詳細に説明する。壁パネル１は樹脂被覆鋼板でなり、ユニットバスルームの壁パネルとして施工されるものである。それ故、壁パネル１の後方側の裏面略全面には、バスルーム内を保温するための断熱材８が付設されている。この場合、断熱材８は樹脂発泡体や石膏ボード、繊維板等でなり、この断熱材８の厚み寸法と略等しいか若干小さい寸法にして、壁パネル１の側端縁からパネル端部２が後方へ突出されており、この壁パネル１は全体として薄くて嵩張らないものとなっている。
【００１４】
そして、壁パネル１はユニットバスルームの床部位を構成する床パンの周縁部分に立設施工され、その前方側の表面がバスルームの室内側面となり同床パン側に向いている。また、この実施形態の壁パネル端部構造は、ドア枠Ｄとの接合部位に施工されるもので、この場合、バスルームへの出入口は壁パネル１の側方に並設配置され、この出入口に開閉自在なドアを備えるドア枠が設置されるものである。その際、ドア枠のうち周側から挿通される固定ネジにより、壁パネル端部構造に対して同ドア枠が結合固定される。
【００１５】
次に、この実施形態例の壁パネル端部構造に用いられる各構成部材について説明する。壁パネル１は前記の如く樹脂被覆鋼板でなり、その両側端縁に後方へ三角形状に突出したパネル端部２が一体に折曲形成されている。パネル端部２の後端縁２ａには、内側前方へと略く字状に折り返されて内側へ折曲突出する略山型の係止凸片６が延設されており、この係止凸片６は同パネル端部２と共に壁パネル本体１の側端縁略全長に折曲プレス加工が施されて簡単に一体成形されている。
【００１６】
ドア横アングル受け４Ａは樹脂一体成形品であり、前記壁パネル本体１の側端縁の略全長にわたる長さ寸法に形成されている。図１に示すように、ドア横アングル受け４Ａの前後方向の寸法は前記パネル端部２の後方への突出寸法よりも大きく形成され、その内外方向の寸法は前記係止凸片６の内側への突出寸法よりも大きく形成されている。
【００１７】
また、ドア横アングル受け４Ａの外側面４ｂには、その前端付近に断面略Ｖ字状で溝型の係止凹所５が全長にわたって形成されており、この係止凹所５は前記略山型の係止凸片６と略合致する形状である。そして、ドア横アングル受け４Ａの前端面が前記壁パネル１の後方裏面に当接された状態で、係止凹所５は係止凸片６にその内側側方から係合され、同ドア横アングル受け４Ａの外側面４ｂが前記パネル端部２の外面と略面一状に連設される。
【００１８】
略Ｌ字状金具３は断面略Ｌ字状の鋼製の金属材で、壁パネル１の側端縁の略全長にわたる長さ寸法に形成されていると共に、該略Ｌ字状金具３は、短辺３Ａと長辺３Ｂとで略Ｌ字状に形成されており、該短辺３Ａと長辺３Ｂの折り曲げ角度は、９０度未満、例えば、本実施形態例では８９度に設定され、長辺３Ｂは壁パネル端部２の外面に当接されるように形成されている。
【００１９】
このように略Ｌ字状金具３は、係止凸片６をその弾性により係止凹所５に押圧して係合させ、パネル端部２の内側にドア横アングル受け４Ａを当接させることができるように、後方から装着される。そして、この略Ｌ字状金具３の短辺３Ａには固定用孔１２が穿設されており、該固定用孔１２から挿通される結合ネジ７がドア横アングル受け４Ａにねじ込み結合されることにより、このドア横アングル受け４Ａを介して同略Ｌ字状金具３はパネル端部２に長手方向の複数個所で強固に結合固定される。
【００２０】
従って、この実施形態例の壁パネル端部構造にあっては、金属製で断面略Ｌ字状の略Ｌ字状金具３がパネル端部２に装着固定されるので、このパネル端部２は略Ｌ字状金具３によって十分に補強される。
【００２１】
しかも、ドア横アングル受け４Ａの係止凹所５に、パネル端部２の内側に突設された係止凸片６が押圧され係合され、壁パネル１の端部２をしっかりと挟持するので、十分な強度を得ることができる。
【００２２】
このように、ドア横アングル受け４Ａはパネル端部２における強度のための前後方向厚みを補足するものであり、パネル端部２と略Ｌ字状金具３との間に介在して両者を固定するものでありながら、略Ｌ字状金具３を装着固定するだけで簡単にこれ等三者が結合一体化されて容易に固定される。それ故、パネル端部２とドア横アングル受け４Ａとが係止凸片６と係止凹所５とで相互に係合されて、両者はこの係合だけでも位置決め固定されるため、略Ｌ字状金具３を簡単且つ確実に装着固定することができる。
【００２３】
また、この実施形態例の壁パネル端部構造においては、金属製の壁パネル１の側端縁に折曲加工を施して、パネル端部２及び係止凸片６が同壁パネル１と一体に形成されているため、これ等パネル端部２、係止凸片６の成形加工は容易である。しかも、この場合に、パネル端部２の後端縁部分を内側前方へ折り返して、内側へ略山型に折曲突出する係止凸片６が形成されているため、この係止凸片６は変形し難く、且つ、ドア横アングル受け４Ａの係止凹所５が内側側方からスムーズに係合される形状となっている。
【００２４】
さらに、この実施形態例の壁パネル端部構造においては、略Ｌ字状金具３がその後方から挿通されてドア横アングル受け４Ａにねじ込まれる結合ネジ７で固定されているため、この結合ネジ７による固定作業は後方から容易に行われ、該略Ｌ字状金具３とドア横アングル受け４Ａとが強固に結合されて、両者はパネル端部２に対し後方へ抜け外れないよう確実に結合固定される。
【図面の簡単な説明】
【００２５】
【図１】この発明の一実施形態例にかかる壁パネル端部構造を示す斜視図である。
【図２】同壁パネル端部構造を示す分解断面図である。
【図３】同端部構造に用いられる略Ｌ字状金具の平面図及び側面図である。
【図４】同端部構造に用いられる略Ｌ字状金具の正面図である。
【図５】同端部構造に用いられるドア横アングル受けの正面図及び平面図である。
【図６】同アングル受けの拡大平面図である。
【符号の説明】
【００２６】
１  壁パネル
２  パネル端部
３  略Ｌ字状金具
３Ａ  短辺
３Ｂ  長辺
４Ａ  ドア横アングル受け（樹脂スペーサ）
５  係止凹所
６  係止凸片
７  結合ネジ    
【図１】
2009114693.tif 000003
【図２】
2009114693.tif 000004
【図３】
2009114693.tif 000005
【図４】
2009114693.tif 000006
【図５】
2009114693.tif 000007
【図６】
2009114693.tif 000008